(57)【要約】      （修正有）【課題】番組コンテンツから取得するデータ放送の通信コンテンツを表示可能か否かについて受信機自体が判定し、通信コンテンツを表示させることが可能な受信機のみコンテンツサイトにアクセスをして自動掲示させる事を可能とする。【解決手段】データ放送と情報配信装置より配信されるコンテンツとを表示可能な受信機と、コンテンツの取得を許可する受信機を管理する管理装置とがインターネットを介して接続可能である映像表示制御システムであって、前記受信機は、データ放送を受信し、そのＢＭＬスクリプトを解析し、該ＢＭＬスクリプトに基づいて、管理装置にコンテンツの取得可能レベルを確認する。管理装置は受信機がコンテンツを取得可能な受信機であるか否かを判定する。受信機は、取得可能である場合に、情報配信装置に対してコンテンツの取得要求を行い、要求したコンテンツと、データ放送とを同一の画面上に表示させる。【選択図】図１
2012213062.tif 000002
【特許請求の範囲】
【請求項１】
データ放送と情報配信装置より配信される通信コンテンツとを表示可能な受信機と、該通信コンテンツの取得する前記受信機を管理する管理装置とがインターネットを介して接続可能であり、前記データ放送の放送をする放送局とを含むデジタル放送システムであって、
前記放送局において、
前記通信コンテンツを取得するための前記情報配信装置へのリンク情報が記載されたＢＭＬスクリプトを含むデータ放送を放送する放送手段を備え、
前記受信機において、
前記放送局の放送手段で放送された前記データ放送を受信するデータ放送受信手段と、
前記データ放送受信手段で受信した前記データ放送に含まれる前記ＢＭＬスクリプトを解析する解析手段と、
前記解析手段で解析した前記ＢＭＬスクリプトに基づいて、前記管理装置に前記通信コンテンツの取得が可能であるか否かの判定要求を送信する判定要求送信手段とを備え、
前記管理装置において、
前記受信機の判定要求送信手段で送信された前記受信機の判定要求に基づいて、該受信機が前記通信コンテンツを取得可能な受信機であるか否かを判定する判定手段と、
前記判定手段の判定結果を前記受信機に送信する判定結果送信手段とを備え、
前記受信機において、
前記管理装置の判定結果送信手段で送信された判定結果が、前記通信コンテンツを取得可能であるという判定の場合に、前記データ放送に記載された前記リンク情報に基づいて前記情報配信装置に対して前記通信コンテンツの取得要求を行う通信コンテンツ取得要求手段と、
前記通信コンテンツ取得要求手段で前記情報配信装置への取得要求により取得した前記通信コンテンツと、前記データ放送とを同一の画面上に表示させる表示手段と
を更に備えることを特徴とするデジタル放送システム。
【請求項２】
前記判定要求送信手段で送信される判定要求送信は、前記受信機を識別するための受信機識別情報と、該受信機で受信しているデータ放送を識別するための番組識別情報とを少なくとも含み、
前記管理装置の判定手段は、前記判定要求送信手段で送信された前記受信機識別情報を用いることにより、前記受信機が通信コンテンツを取得可能なサービスレベルの受信機であるか否かを判定する第一の判定手段と、
前記第一の判定手段で前記受信機が前記通信コンテンツを取得可能なサービスレベルの受信機であると判定された場合に、前記判定要求送信手段で送信された前記番組識別情報を用いることにより、前記受信機で受信しているデータ放送が、前記通信コンテンツの取得対象番組であるか否かを判定する第二の判定手段とを備えることを特徴とする請求項１に記載のデジタル放送システム。
【請求項３】
前記データ放送に含まれるＢＭＬスクリプトは、前記通信コンテンツを取得することができる受信機のサービスレベルの情報を含み、
前記受信機において、
前記管理装置の判定結果送信手段で送信された判定結果が、前記通信コンテンツを取得可能であるという判定の場合に、記憶部に該受信機が前記通信コンテンツを取得可能であるサービスレベルを記録部に記録する記録手段と、
前記記録手段で前記記録部に記録されているサービスレベルと、前記データ放送に含まれる前記ＢＭＬスクリプトに含まれるサービスレベルの情報を比較することにより前記受信機が前記情報配信装置から配信される前記通信コンテンツを取得するサービスレベルであるか否かを判定するサービスレベル判定手段とを更に備え、
前記受信機の通信コンテンツ取得要求手段は、前記サービスレベル判定手段で、前記受信機が前記情報配信装置から配信される前記通信コンテンツを取得するサービスレベルであると判定された場合に前記データ放送に記載された前記リンク情報に基づいて前記情報配信装置に対して前記通信コンテンツの取得要求を行うことを特徴とする請求項１または２に記載のデジタル放送システム。
【請求項４】
前記受信機の表示手段で表示されている前記通信コンテンツの表示を終了する指示を受け付けた場合に、前記受信機の記憶部に前記データ放送のＢＭＬスクリプトに基づく前記通信コンテンツの自動取得を一時抑止状態にする一時抑止手段と、
前記データ放送受信手段で前記データ放送を受信したときに、前記一時抑止手段により前記受信機の通信コンテンツ自動取得が一時抑止状態であるか否かを判定する一時抑止状態判定手段と、
前記一時抑止状態判定手段で前記受信機が一時抑止状態であると判定された場合に、該一時抑止状態を解除する解除手段と
を更に備えることを特徴とする請求項１乃至３のいずれか１項に記載のデジタル放送システム。
【請求項５】
前記受信機において、
前記解除手段で一時抑止状態を解除した前記受信機は、前記データ放送のＢＭＬスクリプトに含まれる番組コンテンツを表示する番組コンテンツ表示手段を備えることを特徴とする請求項４に記載のデジタル放送システム。
【請求項６】
放送局から通信コンテンツを取得するための情報配信装置へのリンク情報が記載されたＢＭＬスクリプトを含むデータ放送を受信し、当該データ放送と情報配信装置より配信される通信コンテンツとを表示し、当該通信コンテンツの取得する受信機を管理する管理装置とインターネットを介して接続する受信機において、
前記放送局より前記データ放送を受信するデータ放送受信手段と、
前記データ放送受信手段で受信した前記データ放送に含まれる前記ＢＭＬスクリプトを解析する解析手段と、
前記解析手段で解析した前記ＢＭＬスクリプトに基づいて、前記管理装置に前記通信コンテンツの取得が可能であるか否かの判定要求を送信する判定要求送信手段とを備え、
前記判定要求送信手段で送信された判定要求に基づき前記管理装置で前記通信コンテンツを取得可能であると判定された場合に、前記データ放送に記載された前記リンク情報に基づいて前記情報配信装置に対して前記通信コンテンツの取得要求を行う通信コンテンツ取得要求手段と、
前記通信コンテンツ取得要求手段で前記情報配信装置への取得要求により取得した前記通信コンテンツと、前記データ放送とを同一の画面上に表示させる表示手段と
を備えることを特徴とする受信機。
【請求項７】
データ放送と情報配信装置より配信される通信コンテンツとを表示可能な受信機と、該通信コンテンツの取得する前記受信機を管理する管理装置とがインターネットを介して接続可能であり、前記データ放送の放送をする放送局とを含むデジタル放送システムを制御する制御方法であって、
前記放送局において、
前記放送局の放送手段が、前記通信コンテンツを取得するための前記情報配信装置へのリンク情報が記載されたＢＭＬスクリプトを含むデータ放送を放送する放送ステップを含み、
前記受信機において、
前記受信機のデータ放送受信手段が、前記放送局の放送ステップで放送された前記データ放送を受信するデータ放送受信ステップと、
前記受信機の解析手段が、前記データ放送受信ステップで受信した前記データ放送に含まれる前記ＢＭＬスクリプトを解析する解析ステップと、
前記受信機の判定要求手段が、前記解析ステップで解析した前記ＢＭＬスクリプトに基づいて、前記管理装置に前記通信コンテンツの取得が可能であるか否かの判定要求を送信する判定要求送信ステップとを含み、
前記管理装置において、
前記管理装置の判定手段が、前記受信機の判定要求送信ステップで送信された前記受信機の判定要求に基づいて、該受信機が前記通信コンテンツを取得可能な受信機であるか否かを判定する判定ステップと、
前記管理装置の判定結果送信手段が、前記判定ステップの判定結果を前記受信機に送信する判定結果送信ステップとを含み、
前記受信機において、
前記受信機の通信コンテンツ取得要求手段が、前記判定結果送信ステップで送信された判定結果が、前記通信コンテンツを取得可能であるという判定である場合に、前記データ放送に記載された前記リンク情報に基づいて前記情報配信装置に対して前記通信コンテンツの取得要求を行う通信コンテンツ取得要求ステップと、
前記受信機の表示手段が、前記通信コンテンツ取得要求ステップで前記情報配信装置への取得要求により取得した前記通信コンテンツと、前記データ放送とを同一の画面上に表示させる表示ステップと
を更に含むことを特徴とする制御方法。
【請求項８】
データ放送と情報配信装置より配信される通信コンテンツとを表示可能な受信機と、該通信コンテンツの取得する前記受信機を管理する管理装置とがインターネットを介して接続可能であり、前記データ放送の放送をする放送局とを含むデジタル放送システムとして制御させるプログラムであって、
前記放送局を、
前記通信コンテンツを取得するための前記情報配信装置へのリンク情報が記載されたＢＭＬスクリプトを含むデータ放送を放送する放送手段として機能させ、
前記受信機を、
前記放送局の放送手段で放送された前記データ放送を受信するデータ放送受信手段と、
前記データ放送受信手段で受信した前記データ放送に含まれる前記ＢＭＬスクリプトを解析する解析手段と、
前記解析手段で解析した前記ＢＭＬスクリプトに基づいて、前記管理装置に前記通信コンテンツの取得が可能であるか否かの判定要求を送信する判定要求送信手段として機能させ、
前記管理装置を、
前記受信機の判定要求送信手段で送信された前記受信機の判定要求に基づいて、該受信機が前記通信コンテンツを取得可能な受信機であるか否かを判定する判定手段と、
前記判定手段の判定結果を前記受信機に送信する判定結果送信手段として機能させ、
更に、前記受信機を、
前記管理装置の判定結果送信手段で送信された判定結果が、前記通信コンテンツを取得可能であるという判定の場合に、前記データ放送に記載された前記リンク情報に基づいて前記情報配信装置に対して前記通信コンテンツの取得要求を行う通信コンテンツ取得要求手段と、
前記通信コンテンツ取得要求手段で前記情報配信装置への取得要求により取得した前記通信コンテンツと、前記データ放送とを同一の画面上に表示させる表示手段
として機能させることを特徴とするコンピュータで読み取り実行可能なプログラム。
【発明の詳細な説明】
【技術分野】
【０００１】
本発明は、デジタル放送システム及びデジタル通信システムにおける通信コンテンツを自動掲示させる制御プログラムと受信機ごとに自動掲示させるコンテンツを管理するプログラムに関する。
【背景技術】
【０００２】
現在、デジタルコンテンツ提供システムが実現されており、番組コンテンツと連携した「通信コンテンツ」の提供が可能な双方向サービスも実現されている。この双方向サービスを提供するため、デジタル放送サービスにおいては、電波による放送及び通信回線を利用した放送で配信されるデジタル放送としてＢＭＬ（Ｂｒｏａｄｃａｓｔ  Ｍａｒｋｕｐ  Ｌａｎｇｕａｇｅ）形式の番組コンテンツが用いられており、デジタル放送に含まれるＢＭＬスクリプトを受信機で解析し、データ放送の表示および、連携した「通信コンテンツ」の提供を行っている。
【０００３】
通常、ＢＭＬ形式の番組コンテンツは、映像からなる番組データと、ＢＭＬデータを多重化して放送・配信され、受信機（一般的なテレビジョン受信機）に具備されたＢＭＬブラウザを利用して視聴することができる。
【０００４】
これに関して、ＢＭＬ形式で作成された番組コンテンツについて、映像に重ねて表示するＢＭＬファイルをデジタル放送端末からセンタ側のＢＭＬサーバに要求する際、デジタル放送端末に蓄積された情報（視聴者属性情報またはその他のデジタル放送端末情報）を併せて送信し、ＢＭＬサーバが当該デジタル放送端末から送信された情報を基に動的にＢＭＬファイルを作成することにより、センタ側がデジタル放送端末情報に応じて動的に内容を変化させる仕組みが開示されている（例えば、特許文献１）。
【０００５】
また、インターネットに接続可能な環境にある受信機では、受信した番組コンテンツのＢＭＬスクリプトに記述されているＵＲＩにアクセスを行い、インターネットに接続されたコンテンツサイトに配置されている通信コンテンツを取得し、実行することが可能な仕組みについて開示がなされている（例えば、特許文献２）。
【先行技術文献】
【特許文献】
【０００６】
【特許文献１】特開２００６−１３５７０６号公報
【特許文献２】特開２００５−２２３６０７号公報
【発明の開示】
【発明が解決しようとする課題】
【０００７】
これまでは、番組の視聴率を予め予測し、放送エリア内の受信機台数から一斉アクセスしてくる受信機数を算出し、そのアクセス数を処理することができるサイト設計を行ってきたが、特許文献１や、特許文献２に開示の発明のように、受信機がＢＭＬスクリプトに記述されているＵＲＩに一斉アクセスをした場合、コンテンツサイトのサーバ及び回線容量などの大規模な設備が必要となり、アクセスのピークを想定したサイジングが必要であり、コストの増大につながりピーク時を想定した過大なデータセンタ設備では日常の運用では非常に無駄が多くという問題があり、できれば、コンテンツサイトにアクセスをする必要がある受信機を予め絞っておくことが望ましい。
【０００８】
そこで本発明は、視聴者が受信機で通信コンテンツ自動掲示設定を選択するのみで、番組コンテンツから取得するデータ放送の通信コンテンツを表示可能か否かについて受信機自体が判定し、通信コンテンツを表示させることが可能な受信機のみコンテンツサイトにアクセスをして自動掲示させる事を可能とする仕組みを提供することを目的とする。
【課題を解決するための手段】
【０００９】
即ち、本発明は、データ放送と情報配信装置より配信される通信コンテンツとを表示可能な受信機と、該通信コンテンツの取得する前記受信機を管理する管理装置とがインターネットを介して接続可能であり、前記データ放送の放送をする放送局とを含むデジタル放送システムであって、前記放送局において、前記通信コンテンツを取得するための前記情報配信装置へのリンク情報が記載されたＢＭＬスクリプトを含むデータ放送を放送する放送手段を備え、前記受信機において、前記放送局の放送手段で放送された前記データ放送を受信するデータ放送受信手段と、前記データ放送受信手段で受信した前記データ放送に含まれる前記ＢＭＬスクリプトを解析する解析手段と、前記解析手段で解析した前記ＢＭＬスクリプトに基づいて、前記管理装置に前記通信コンテンツの取得が可能であるか否かの判定要求を送信する判定要求送信手段とを備え、前記管理装置において、前記受信機の判定要求送信手段で送信された前記受信機の判定要求に基づいて、該受信機が前記通信コンテンツを取得可能な受信機であるか否かを判定する判定手段と、前記判定手段の判定結果を前記受信機に送信する判定結果送信手段とを備え、前記受信機において、前記管理装置の判定結果送信手段で送信された判定結果が、前記通信コンテンツを取得可能であるという判定の場合に、前記データ放送に記載された前記リンク情報に基づいて前記情報配信装置に対して前記通信コンテンツの取得要求を行う通信コンテンツ取得要求手段と、前記通信コンテンツ取得要求手段で前記情報配信装置への取得要求により取得した前記通信コンテンツと、前記データ放送とを同一の画面上に表示させる表示手段とを更に備えることを特徴とする。
また、本発明のデジタル放送システムにおいて、前記判定要求送信手段で送信される判定要求送信は、前記受信機を識別するための受信機識別情報と、該受信機で受信しているデータ放送を識別するための番組識別情報とを少なくとも含み、前記管理装置の判定手段は、前記判定要求送信手段で送信された前記受信機識別情報を用いることにより、前記受信機が通信コンテンツを取得可能なサービスレベルの受信機であるか否かを判定する第一の判定手段と、前記第一の判定手段で前記受信機が前記通信コンテンツを取得可能なサービスレベルの受信機であると判定された場合に、前記判定要求送信手段で送信された前記番組識別情報を用いることにより、前記受信機で受信しているデータ放送が、前記通信コンテンツの取得対象番組であるか否かを判定する第二の判定手段とを備えることを特徴とする。
また、本発明のデジタル放送システムにおいて、前記データ放送に含まれるＢＭＬスクリプトは、前記通信コンテンツを取得することができる受信機のサービスレベルの情報を含み、前記受信機において、前記管理装置の判定結果送信手段で送信された判定結果が、前記通信コンテンツを取得可能であるという判定の場合に、記憶部に該受信機が前記通信コンテンツを取得可能であるサービスレベルを記録部に記録する記録手段と、前記記録手段で前記記録部に記録されているサービスレベルと、前記データ放送に含まれる前記ＢＭＬスクリプトに含まれるサービスレベルの情報を比較することにより前記受信機が前記情報配信装置から配信される前記通信コンテンツを取得するサービスレベルであるか否かを判定するサービスレベル判定手段とを更に備え、前記受信機の通信コンテンツ取得要求手段は、前記サービスレベル判定手段で、前記受信機が前記情報配信装置から配信される前記通信コンテンツを取得するサービスレベルであると判定された場合に前記データ放送に記載された前記リンク情報に基づいて前記情報配信装置に対して前記通信コンテンツの取得要求を行うことを特徴とする。
また、本発明のデジタル放送システムにおいて、前記受信機の表示手段で表示されている前記通信コンテンツの表示を終了する指示を受け付けた場合に、前記受信機の記憶部に前記データ放送のＢＭＬスクリプトに基づく前記通信コンテンツの自動取得を一時抑止状態にする一時抑止手段と、前記データ放送受信手段で前記データ放送を受信したときに、前記一時抑止手段により前記受信機の通信コンテンツ自動取得が一時抑止状態であるか否かを判定する一時抑止状態判定手段と、前記一時抑止状態判定手段で前記受信機が一時抑止状態であると判定された場合に、該一時抑止状態を解除する解除手段とを更に備えることを特徴とする。
また、本発明のデジタル放送システムは、前記受信機において、前記解除手段で一時抑止状態を解除した前記受信機は、前記データ放送のＢＭＬスクリプトに含まれる番組コンテンツを表示する番組コンテンツ表示手段を備えることを特徴とする。
また、本発明の受信機は、放送局から通信コンテンツを取得するための情報配信装置へのリンク情報が記載されたＢＭＬスクリプトを含むデータ放送を受信し、当該データ放送と情報配信装置より配信される通信コンテンツとを表示し、当該通信コンテンツの取得する前記受信機を管理する管理装置とインターネットを介して接続する受信機において、前記放送局より前記データ放送を受信するデータ放送受信手段と、前記データ放送受信手段で受信した前記データ放送に含まれる前記ＢＭＬスクリプトを解析する解析手段と、前記解析手段で解析した前記ＢＭＬスクリプトに基づいて、前記管理装置に前記通信コンテンツの取得が可能であるか否かの判定要求を送信する判定要求送信手段とを備え、前記判定要求送信手段で送信された判定要求に基づき前記管理装置で前記通信コンテンツを取得可能であると判定された場合に、前記データ放送に記載された前記リンク情報に基づいて前記情報配信装置に対して前記通信コンテンツの取得要求を行う通信コンテンツ取得要求手段と、前記通信コンテンツ取得要求手段で前記情報配信装置への取得要求により取得した前記通信コンテンツと、前記データ放送とを同一の画面上に表示させる表示手段とを備えることを特徴とする。
【発明の効果】
【００１０】
本発明によれば、視聴者の操作により通信コンテンツ自動掲示設定処理スクリプトを実行させるのみで、番組コンテンツから取得するデータ放送の通信コンテンツを表示可能か否かについて受信機自体が判定し、通信コンテンツを表示させることが可能な受信機のみコンテンツサイトにアクセスをして自動掲示させる事を可能とする仕組みを提供することが可能になる。
【００１１】
具体的には、データ放送の一部としてリンクテーブルなどの小さい容量の情報を送るだけで、一般的なテレビジョン受信機を広告表示システムとして運用することができ、リアルタイムに表示の更新などが可能な仕組みを提供することが可能になる。
【００１２】
また、本発明において受信機は一般的なテレビジョン受信機を想定しているため、ユーザによるＯＳインストールもなければ、アプリケーションメンテナンスをする必要のない広告表示の仕組みを提供することが可能になる。
【図面の簡単な説明】
【００１３】
【図１】本実施形態に係るデジタル放送システムの全体構成を示す図である。
【図２】本実施形態に係るデジタル放送送信装置の内部構成を示す図である。
【図３】本実施形態に係るデジタル放送受信装置（セットトップボックス）のハードウェア構成を示す図である。
【図４】本実施形態に係る視聴者の表示装置（セットトップボックス）内で通信コンテンツ自動掲示設定の処理を示すフローチャートである。
【図５】本実施形態に係る視聴者の表示装置（セットトップボックス）内で通信コンテンツ自動掲示の処理を示すフローチャートである。
【図６】本実施形態に係る視聴者の表示装置（セットトップボックス）内で通信コンテンツ自動掲示処理及び一時自動掲示抑止の処理を示すフローチャートである。
【図７】本実施形態に係るサービスレベル応答サーバ処理を示すフローチャートである。
【図８】本実施形態に係るオペレーションセンターの端末管理ＤＢ構成例である。
【図９】本実施形態に係るオペレーションセンターのサービスレベル管理ＤＢ構成例である。
【図１０】本実施形態に係る表示装置（セットトップボックス）から送信される、サービスレベル応答サーバへの問合せ電文例である。
【図１１】本実施形態に係る表示装置で、データ放送と、自動掲示通信コンテンツを同時に表示した場合の表示例を示す図である。
【図１２】本実施形態に係るデジタル放送システムの一連の処理工程を示す図である。
【発明を実施するための形態】
【００１４】
以下、図面を用いて本実施形態について説明をしていく。
まず、本発明は、図１で示すように、衛星／地上波デジタル放送局１００にある放送装置１０１より、データ放送用の番組コンテンツが配信され、一般的なテレビジョン受信機４００（Ａ／Ｂ）で、データ放送用の番組コンテンツを受信している。そして、番組コンテンツを受信した受信機４００が、番組コンテンツ内のＢＭＬスクリプトを解析し、オペレーションセンター２００に、放送中に取得が出来るオリジナルの通信コンテンツが取得できるか否かの問合せを行っている。
【００１５】
テレビ放送番組（本編番組）やデータ放送番組を構成するデジタルデータを含むデータ放送を行うデジタル放送局１００からＭＰＥＧ２−ＴＳを利用したデジタル伝送方式でＢＳ、ＣＳ、地上波などのデジタル放送として番組コンテンツが送信される。
【００１６】
データ放送用の番組コンテンツは、画像データ（静止画／動画）、文字データ、音声データ、制御プログラム（ＢＭＬスクリプト）により構成され、受信機４００において番組コンテンツを表示している際に、自動掲示対象となる通信コンテンツのＵＲＩ（通信コンテンツを取得するためのリンク情報）と、先ほどの通信コンテンツを自動掲示対象とするサービスレベル、図４に示す通信コンテンツの自動掲示設定ＢＭＬスクリプト及び図５に示す通信コンテンツの自動掲示のＢＭＬスクリプトが含まれる。なお、受信したＢＭＬスクリプトは、受信機内で備えるＢＭＬブラウザによって解析され、処理を実行する。
【００１７】
更に、本実施形態では、受信機４００と、オペレーションセンター２００（管理装置）、コンテンツサイト３００（情報配信装置）とがインターネットを介して接続可能な環境となっている。
【００１８】
オペレーションセンター２００（管理装置）には、ＢＭＬスクリプトを解析した受信機から送信される、通信コンテンツの自動掲示設定を指示するためのサービスレベル応答サーバ２０１と、端末管理データベース（ＤＢ）２０２と、サービスレベル管理データベース（ＤＢ）２０３を備えている。オペレーションセンター２００で稼働する各データベースは、一般的な情報処理装置（サーバ）によって実現可能である。
【００１９】
管理端末データベース（ＤＢ）２０２は、各顧客（受信機の所有者）から自動掲示通信コンテンツを表示する受信機（あるいは受信者）を識別するための特定情報（ＣＡＳカード番号など）や名称（顧客名）、住所、電話番号と、表示する広告コンテンツのリンク（ＵＲＩ）や放送期間（開始時刻、終了時刻）などを入手し、オペレーションセンター２００の端末管理データベース（ＤＢ）２０２で記録管理している。端末管理ＤＢ２０２は図８でそのデータ構成を詳細に説明する。
【００２０】
また、サービスレベル管理サーバ２０３は、各顧客（受信機の所有者）ごとにデジタル放送を受信する放送局からサービスされる自動掲示通信コンテンツの契約情報とそのサービスレベル、放送期間などを記憶管理している。サービスレベル管理ＤＢ２０３は、図９でそのデータ構成を詳細に説明する。
【００２１】
コンテンツサイト３００は、番組コンテンツのＢＭＬスクリプトに記述されているＵＲＩで特定され、受信機で自動掲示する通信コンテンツのＢＭＬデータを通信コンテンツサーバ３０１に格納し、インターネット上に配信可能な状態となっている。コンテンツサイト３００で稼働する通信コンテンツサーバ３０１もまた、一般的な情報処理装置（サーバ）によって実現可能である。
【００２２】
なお、本図において、オペレーションセンター２００とコンテンツサイト３００とは別々の拠点に備えている構成となっているが、同一の拠点で管理運営されることに何ら問題はない。
【００２３】
視聴者のセットトップボックス（受信機）４０１Ａ、Ｂで復調された映像、音声とデータ放送は放送番組として視聴者の表示装置４０２Ａ、Ｂで表示される。
【００２４】
受信機４００Ａ、Ｂはデータ放送のＢＭＬを実行し、自機が受信機を識別するための特定情報（ＣＡＳカード番号など）をチェックし、受信したリンクテーブルに記述された条件に該当する場合は、指定されたＵＲＩにアクセスし、インターネット上のＢＭＬコンテンツを取得、実行する。自機が該当しない場合には、通常の放送コンテンツを表示する。
【００２５】
次に、図１の端末管理ＤＢ２０２データ構成について、図８を用いて説明する。図８の端末管理ＤＢは、本実施形態におけるコンテンツサイト３００から、「通信コンテンツ」を受信して表示するサービスが許可されている受信機を管理するデータベースである。
【００２６】
端末管理ＤＢは、受信機ＩＤ８０１、顧客名８０２、顧客の住所８０３、顧客の電話番号８０４、サービスを受けることができる有効期間８０５、８０６の項目を備えているものとする。これらの情報は、オペレーションセンター２００の管理者端末によって管理されている。
【００２７】
また、図１のサービスレベル管理ＤＢ２０３のデータ構成について、図９を用いて説明する。図９のサービスレベル管理ＤＢは、こちらもサービスを受ける受信機の受信機ＩＤ９０１、デジタル放送を行う放送局ＩＤ９０２、放送局から放映される番組ＩＤ、受信機のサービスレベル９０４と、サービスを受けることができる有効期間９０５、９０６の項目を備えているものとする。これらの情報もまた、オペレーションセンター２００の管理者端末によって管理されている。
【００２８】
次に、図２に示したブロック図に基づいて、放送局１１０の放送設備（放送装置）１１１を説明する。
【００２９】
映像音声データ制作装置１１で制作された放送の本編は、映像音声データ保持装置１２にデジタルデータ形式（ＭＰＥＧ２等）で蓄積される。
【００３０】
データ放送用コンテンツであるＢＭＬは、データ放送制作装置２１で制作され、データ放送保持装置２２にデジタルデータ形式蓄積される。保持されているデータ放送用データは、データ放送更新装置２３により放送中に逐次更新可能である。
【００３１】
予めスケジュールされた放送情報によって、映像音声データ保持装置１２とデータ放送保持装置２２に蓄積されている各番組データは、多重化装置３１を介して１つのデジタルデータ形式となり変調装置３２および送信装置３３により電波として送信される。
【００３２】
次に、図３に示したブロック図に基づいて、受信機４００のセットトップボックス４０１について説明する。
【００３３】
図示しないアンテナより受信した電波は、チューナ部５１で選局され、復調部５２で映像（本編映像）データと音声（本編音声）データ、データ放送用データ（ＢＭＬコンテンツ）などに分離される。
【００３４】
映像（本編映像）データ（ＭＰＥＧ２等）は、映像・信号処理部５４でデコードされ、映像信号として出力される。音声（本編音声）データ（ＭＰＥＧ２−ＡＡＣ等）は、音声処理部５３でデコードされ、音声信号として出力される。
【００３５】
データ放送用データ（ＢＭＬコンテンツ）は、ＲＡＭ５９上に展開され、セットトップボックス４０１のＲＯＭ５８に格納されているブラウザプログラムによってＣＰＵ５５上で実行される。
【００３６】
セットトップボックス４０１は、リモコン６１からの信号を受信して、データ放送の制御プログラム（スクリプト）に記述された処理を実行する。
【００３７】
ブラウザによって処理されたデータ放送の画像は、映像・信号処理部５４で映像（本編映像）と合成処理を行った上で、映像信号として出力される。同様にブラウザによって処理されたデータ放送の音声も音声処理部５３で音声（本編音声）と合成され音声信号として出力される。同様にブラウザによって処理されたデータ放送の映像信号と音声信号は、表示装置（一般的なテレビジョン受信機）４０２Ａ、Ｂで視聴可能となる。
【００３８】
セットトップボックス４０１と表示装置（テレビジョン受信機）の構成を示しているが、セットトップボックスの機能を内蔵したテレビジョン受信機であってもよい。
【００３９】
また、内蔵されている通信Ｉ／Ｆ５６によってインターネットへの通信を行ない、同ネット上にあるＢＭＬコンテンツを取得し、これを実行することが可能である。
【００４０】
受信機４００はデータ放送用の番組コンテンツに含まれるＢＭＬスクリプトをＲＡＭ上に取得し、ＣＰＵ５５によって実行する。以降の動作を実現する一連の命令はＢＭＬのスクリプトとして記述され、受信機４００は、このＢＭＬブラウザによってスクリプトを解析し、このスクリプトを実行して、図４〜図６の処理を行う。
【００４１】
以下、本実施の形態の全体処理概要について、図１２を用いて説明をする。まず、受信機４００の電源が投入され、チューニングされている放送局からデータ放送の番組コンテンツを受信する。この、番組コンテンツには、先述の通り、画像データ、音声データ、文字データ、制御プログラム（ＢＭＬスクリプト）を含んでおり、ＢＭＬスクリプトには、このデータ放送の番組を表示する際に、取得することができる通信コンテンツの取得先ＵＲＩと、通信コンテンツを取得可能なサービスレベルが記述されている（１）。次に、受信したデータ放送のＢＭＬスクリプトを受信機４００のＢＭＬブラウザで解析し、解析したプログラムを実行する（２）。次に、サービスレベル応答サーバ２０１に対して、受信機４００が通信コンテンツの取得対象となっているか否かを確認するための電文（図１０）を作成する（３）。サービスレベル応答サーバでは、受信機４００から受信した電文に記述されている受信機ＩＤ、放送局ＩＤ、番組ＩＤなどをキーにして、電文を送信した受信機４００が、通信コンテンツを取得できるサービスレベルであるかの確認を、端末管理ＤＢ２０２およびサービスレベル管理ＤＢ２０３を用いて行う。そして、結果を受信機に返信する（４）。
【００４２】
受信機４００は、サーバから返信された電文に記載されているサービスレベルを受信機４００の記憶部（具体的には、ＮｖＲＡＭ）に記憶する（５）。その後、受信機４００は、受信しているデータ放送（番組）のＢＭＬスクリプトに記述されている、当該番組の通信コンテンツを取得可能なサービスレベルの値を抽出する。そして、受信機４００に記憶されているサービスレベルの値と比較を行って、通信コンテンツを取得可能なサービスレベルであれば、コンテンツサイト３００の通信コンテンツサーバ３０１に、通信コンテンツの取得要求を送信する（６）。通信コンテンツサーバ３０１は、取得要求を受けた受信機４００に、通信コンテンツを送信する（７）。最後に、受信機４００は、データ放送（番組）と、通信コンテンツとを表示する（８）。
【００４３】
図１１は、本実施形態における受信機４００で通信コンテンツの表示例を示す図である。放送局から放映される番組や、インターネット回線を利用して表示する番組は、１１０１の放送表示領域に表示される。そして、通信コンテンツを表示するためのＢＭＬスクリプトを含む番組コンテンツを受信した際には、先述の図４〜図７の処理が実行され、ステップ５０６において通信コンテンツ表示領域１１０２に、受信機４００ごとに提供されるコンテンツの異なる「通信コンテンツ」が表示される。
【００４４】
以下、図４〜図７を用いることにより、本実施形態の映像表示制御システムの処理概要について説明をする。まず、図４を用いて、受信機４００での通信コンテンツ自動掲示設定フローを説明する。
【００４５】
視聴者のリモコンボタン操作により放送局からの受信した番組コンテンツのＢＭＬスクリプトに含まれる図４に示す通信コンテンツ自動掲示設定処理スクリプトを実行させる。
【００４６】
まず、受信機４００（一般的なテレビジョン受信機を想定）は、電源を入れた状態で、特定の放送局からの番組を受信する。受信している時に、「データ取得ボタン（リモコンのｄボタン）」が押下されると、取得している番組で表示されるメニュー画面が表示される。
【００４７】
なお、このメニュー画面は、通常、受信機４００が放送局からの番組取得をするのと同時に、ＢＭＬブラウザが取得したメニュー画面情報を解析し、受信機のディスプレイで表示できるように並行処理を行っている。
【００４８】
メニュー画面が表示され、メニュー内の「コンテンツ取得」の選択を受け付けると、図４のフローチャートの処理（ステップ４０１のインターネット接続判定処理）が開始するものとする。
【００４９】
ステップ４０１において、受信機４００（具体的にはセットトップボックス４０１）がインターネットに接続されているかを判定する。判定方法としては、受信機４００の通信Ｉ／Ｆ  ５６にＬＡＮケーブルが接続されているか否かを判定している。接続中であれば（ステップＳ４０１でＹＥＳ）、受信機４００を識別するための特定情報であるＣＡＳカード番号と、現在受信中であるデジタル放送に含まれるＳＩ／ＰＳＩ情報から放送局ＩＤ（ネットワークＩＤ）と番組ＩＤを取得し、図１０に示すサービスレベル応答サーバへの問合せ電文を作成する（ステップ４０２）。
【００５０】
図１０は、先述のステップ４０２で作成されるサービスレベル応答サーバへの問合せ電文の構成例を示すデータテーブルである。
【００５１】
図１０の電文は、例えば、電文ヘッダ部１００１、受信機ＩＤ（ＣＡＳカード番号等）１００２、放送局ＩＤ（ネットワークＩＤ等）１００３、番組ＩＤ１００４、タイムスタンプ１００５と、応答ステータス１００６を備えているものとする。
【００５２】
電文ヘッダ部１００１には、現在のＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔの略であり、社団法人電波産業会）の規定によれば、受信機の装備すべきＨＴＴＰ  のバージョンは１．１  とする旨が規定されているため、ＨＴＴＰバージョン１．１のヘッダ情報が記述されている。
【００５３】
受信機ＩＤ１００２は、受信機４００の個々に特定するための識別情報を示し、例えば、受信機４００にセットされているＣＡＳカードの番号がこれに該当する。
【００５４】
放送局ＩＤ１００３は、受信機４００が現在受信している番組を放映している放送局を示す。放送局には、それぞれの放送局を一意に特定するための識別情報が設定されている。
【００５５】
番組ＩＤ１００４は、現在受信機４００で視聴している番組を示す。放送局より放映される番組には、それぞれの番組を一意に特定するための識別情報が設定されている。
【００５６】
タイムスタンプ１００５は、本電文を作成した日時情報を示す。または、指定した日時のコンテンツを事前・事後に確認するために、特定の日時を指定することも可能である。例えば、受信機４００の管理者が、既に放送された番組で表示されていた自動掲示された通信コンテンツの内容確認をしたい時には、過去の日付を指定して、サービスレベル応答サーバ２０１に問合せをすることができる。データ放送は、法律により一定期間コンテンツを記憶装置に記憶させ、放映後でも検証が可能な状態にしておくことが定められているため、一定期間の過去の番組コンテンツで表示された通信コンテンツは閲覧が可能である。また、これから放送される番組で表示される自動掲示コンテンツの内容確認をしたい場合にも、未来の日付を指定して、サービスレベル応答サーバ２０１に問合せをすることが可能である。
【００５７】
応答ステータス１００６は、サービスレベル応答サーバ２０１で電文を受信したときに、対象の受信機のサービルレベルが判定され、特定の値が埋め込まれる。
【００５８】
引き続き、図４の説明に戻り、ステップ４０３において、受信機４００は、自身の通信コンテンツの取得サービスレベルを判定してもらうために、通信Ｉ／Ｆ  ５６に接続されたインターネット回線を経由して、ＨＴＴＰ形式等で、図１０で説明をした問合せ電文をオペレーションセンター２００に設置されているサービスレベル応答サーバ２０１に対して電文を送信する（（１）へ遷移）。サービスレベル応答サーバ２０１での電文受信と、応答電文作成の処理については、図７のフローチャートを用いて詳細に説明をする。
【００５９】
図７は、本実施形態におけるサービスレベル応答サーバ２０１で実行する、受信機で通信コンテンツを自動掲示するサービスレベルを確認する処理についてのものである。
【００６０】
ステップ７０１で、サービスレベル応答サーバ２０１は、図１０に示すサービスレベル応答サーバへの問合せ電文を受信機４００からの受信する。
【００６１】
受信した電文中の受信機ＩＤを抽出し、検索キーとして端末管理ＤＢ２０２を検索する（ステップ７０２）。検索結果からサービスを享受できる有効期間内であるかを判定（ステップ７０３）する。
【００６２】
ステップ７０３で判定した結果、問合せ電文を送信した受信機４００が端末管理ＤＢ２０２に記憶されていて、かつ、サービスを享受できる有効期間内である場合には、電文中の受信機ＩＤと放送局ＩＤなどを抽出して、これらを検索キーにサービスレベル管理ＤＢ２０３を検索して（ステップ７０４）、かつ、サービスを享受可能な有効期間内であるか否かを検索結果から判定する（ステップ７０５）。
【００６３】
また、ステップ７０３で、問合せ電文を送信した受信機４００が端末管理ＤＢ２０２に記憶されていない、若しくは、端末管理ＤＢ２０２で管理されているが、サービスを享受できる有効期間外である場合には、サービス対象ではない受信機であると判定され、ステップ７０７において、非サービス対象である応答ステータスが図１０の問合せ電文の応答ステータス１００６の項目にセットされ、電文を送信した受信機４００に対して結果を応答する。
【００６４】
前記判定結果からサービス対象なるレベルが存在しない受信機であれば、非サービス対象である応答ステータスを要求受信機に応答する。レベルが存在する受信機であれば、サービスレベルを応答ステータスに設定して、要求受信機に応答する。
【００６５】
ステップ７０６や７０７で、応答ステータス１００６にセットされる値は、例えば、サービスを受けることができる、出来ない、という２つの選択肢のレベルである場合には、サービス対象外は「０」、サービス適用可能は「１」としている。また、サービス適用可能であって、かつ享受できるサービスにいくつかの段階が設けられている場合には、この限りではない。例えば、レギュラー・ブロンズ・シルバー・ゴールド・プラチナ等、段階を追って挙がって行くサービスレベルであれば、夫々「１」、「２」、「３」、「４」、「５」の値を設定することとする。
【００６６】
ステップ７０６、若しくはステップ７０７から応答電文が返される（図４の（２）に遷移）と、図４に戻り、ステップＳ４０４において、受信機４００はサービスレベル応答サーバ２０１から送信された応答電文を受信し（図７の（２）より遷移）、受信した電文に含まれる応答ステータス１００６（サービスレベル）の値が、放送局からのデータ放送の番組コンテンツに含まれるＢＭＬスクリプトに記述されているＵＲＩを取得する自動掲示対象となるか否かを判定する（ステップ４０５）。
【００６７】
即ち、ここでは、応答ステータス１００６にセットされる値が、「０」であるか、「０」以外の値であるかによって処理が変わる。電文を受信した受信機４００に与えられてサービスレベルの値が自動掲示対象の値（サービスレベルが「０」ｏｒ「１」で判定されるのであれば、「１」）であれば（ステップ４０５でＹＥＳ）、受信機４００が通信コンテンツの自動掲示が可能な受信機である旨を不揮発性メモリ（ＮｖＲＡＭ）に書き込む（ステップ４０６）。ここで、判定に使用するサービスレベルの値は、先述の通り、「０」、「１」の２値判定でも、３、５、１０段階などの複数値判定でもよい。
【００６８】
図４の処理によれば、受信機４００が、放送局から番組を受信し、受信した番組と連動して提供可能な通信コンテンツを、受信機そのものが、サービス享受対象であるか否かの判定を行い、通信コンテンツを受信する設定を自動で行うことが可能になる。更に、応答電文で取得する受信機のサービスレベルの値を不揮発性メモリ（ＮｖＲＡＭ）に記憶しておくことにより、受信機が別のチャンネルにチューニングをした場合であっても、提供されるサービスレベルが引き継がれるため、その都度、コンテンツサイトから通信コンテンツを取得できるか否かの確認をすることができる（具体的には、図５のステップ５０５で実行する）。
【００６９】
次に図５のフローチャートに基づいて、受信機４００がコンテンツサイトから通信コンテンツを取得し、自動掲示する処理について詳細に説明する。
【００７０】
まず、ステップ５０１において、受信機４００は、受信機の揮発性メモリ（Ｕｒｅｇ／Ｇｒｅｇ等）から、コンテンツの自動掲示一時抑止の設定フラグを取得し（ステップ５０１）、一時抑止の設定が記憶されているかを判定する（ステップ５０２）。なお、揮発性メモリに自動掲示一時抑止の設定フラグを書き込む処理については、後述の図６において詳細に説明をする。
【００７１】
一時抑止の設定状態でなければ（ステップ５０２でＮＯ）、ステップ５０３以降の処理を実行する。一時抑止であれば（ステップ５０２でＹＥＳ）、ステップ５０８に進む。
【００７２】
ステップ５０８で、受信機４００は、揮発性メモリ（Ｕｒｅｇ／Ｇｒｅｇ等）に記憶されている「コンテンツの自動掲示一時抑制設定」を解除し、受信機４００で受信している番組コンテンツのＢＭＬスクリプトを取得し、データ放送の番組を表示する。
【００７３】
また、一時抑止の設定状態でなければ（ステップ５０２でＮＯ）、ステップ５０３へ進み、受信しているデータ放送用の番組コンテンツに含まれるＢＭＬスクリプトに記憶されている、通信コンテンツを提供可能な受信機のサービスレベルの値を抽出する。
【００７４】
また、受信機４００は、ここで先述の図４のステップ４０６で不揮発性メモリ（ＮｖＲＡＭ）に記録をしていた、自身のサービスレベルの値（図７のサービスレベル応答サーバ２０１の応答電文で受信した値）を取得する。
【００７５】
ステップ５０５において、受信機４００は、ステップ５０３で取得したデータ放送用の番組コンテンツに含まれるＢＭＬスクリプトに記憶されている、通信コンテンツを提供可能な受信機のサービスレベルの値と、ステップ５０４で取得した不揮発性メモリ（ＮｖＲＡＭ）に記録されている自身のサービスレベルの値（図７のサービスレベル応答サーバ２０１の応答電文で受信した値）とを比較し、受信機４００が通信コンテンツを掲示することができる対象受信機かを判定する。
【００７６】
通信コンテンツの自動掲示対象であれば、番組コンテンツに含まれるＢＭＬスクリプトに記憶されているＵＲＩで示されるコンテンツサイト３００に取得要求をするためにアクセスし、インターネットに接続された通信コンテンツサーバ３０１に格納されている「通信コンテンツ」を取得し、受信機４００で表示する（ステップ５０６）。不揮発性メモリ（ＮｖＲＡＭ）に記録されているサービスレベルの値が、サービス対象端末ではない値（例えば、「０」であったり、サービスレベルが異なる場合）であれば、番組コンテンツのＢＭＬスクリプトから、通常の番組コンテンツに関連したデータ放送画面を表示する。このＢＭＬスクリプトは、実装上ＢＭＬスクリプトのｓｔａｒｔｕｐ文書である事が望ましい。
【００７７】
ここで言うＳｔａｒｔｕｐ文書は、リモコン操作により受信機４００のチャンネルチューンがなされた時にＢＭＬブラウザによって最初に実行されるＢＭＬスクリプトを指しています。なぜならば、ＢＭＬスクリプトはチャンネルチューン時に必ず最初に実行され、処理の漏れが無くなるからである。
【００７８】
次に、図６に基づいて、受信機の自動掲示一時抑止設定処理を説明する。図５の処理によって受信機４００に表示されている「通信コンテンツ」は、リモコンのｄボタン押下受付などに割り振られたｓｔａｒｔｕｐ文書に戻る処理を実行するまでは、自動で通信コンテンツを取得し、表示をし続ける。
【００７９】
ステップ６０１で、受信機のリモコンのｄボタン押下を受け付け、番組コンテンツのＢＭＬスクリプトで、ｓｔａｒｔｕｐ文書に戻る処理が要求された場合には、揮発性メモリ（Ｕｒｅｇ／Ｇｒｅｇ等）に通信コンテンツの自動掲示一時抑止を設定して、ｓｔａｒｔｕｐ文書を実行し、番組コンテンツの表示を再開させる（ステップ６０３、６０４）。
【００８０】
これにより図５に示した通信コンテンツの自動掲示フローでは、自動掲示一時抑止判定を経て、揮発性メモリ（Ｕｒｅｇ／Ｇｒｅｇ等）にある自動掲示一時抑止設定を解除し、通常コンテンツを実行する。
【００８１】
以上、本発明によれば、視聴者の操作により通信コンテンツ自動掲示設定処理スクリプトを実行させるのみで、番組コンテンツから取得するデータ放送の通信コンテンツを表示可能か否かについて受信機自体が判定し、通信コンテンツを表示させることが可能な受信機のみコンテンツサイトにアクセスをして自動掲示させる事を可能とする仕組みを提供することが可能になる。
【００８２】
具体的には、データ放送の一部としてリンクテーブルなどの小さい容量の情報を送るだけで、一般的なテレビジョン受信機を広告表示システムとして運用することができ、リアルタイムに表示の更新などが可能な仕組みを提供することが可能になる。
【００８３】
また、本発明において受信機は一般的なテレビジョン受信機を想定しているため、ユーザによるＯＳインストールもなければ、アプリケーションメンテナンスをする必要のない広告表示の仕組みを提供することが可能になる。
【００８４】
即ち、本発明は、データ放送と情報配信装置より配信される通信コンテンツとを表示可能な受信機と、該通信コンテンツの取得する前記受信機を管理する管理装置とがインターネットを介して接続可能であり、前記データ放送の放送をする放送局とを含むデジタル放送システムであって、前記放送局において、前記通信コンテンツを取得するための前記情報配信装置へのリンク情報が記載されたＢＭＬスクリプトを含むデータ放送を放送する放送手段を備え、前記受信機において、前記放送局の放送手段で放送された前記データ放送を受信するデータ放送受信手段と、前記データ放送受信手段で受信した前記データ放送に含まれる前記ＢＭＬスクリプトを解析する解析手段と、前記解析手段で解析した前記ＢＭＬスクリプトに基づいて、前記管理装置に前記通信コンテンツの取得が可能であるか否かの判定要求を送信する判定要求送信手段とを備え、前記管理装置において、前記受信機の判定要求送信手段で送信された前記受信機の判定要求に基づいて、該受信機が前記通信コンテンツを取得可能な受信機であるか否かを判定する判定手段と、前記判定手段の判定結果を前記受信機に送信する判定結果送信手段とを備え、前記受信機において、前記管理装置の判定結果送信手段で送信された判定結果が、前記通信コンテンツを取得可能であるという判定の場合に、前記データ放送に記載された前記リンク情報に基づいて前記情報配信装置に対して前記通信コンテンツの取得要求を行う通信コンテンツ取得要求手段と、前記通信コンテンツ取得要求手段で前記情報配信装置への取得要求により取得した前記通信コンテンツと、前記データ放送とを同一の画面上に表示させる表示手段とを更に備えることを特徴とする。
【００８５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８６】
この場合、記録媒体から読み出されたプログラム自体が本発明の新規な機能を実現することになり、そのプログラムを記憶した記録媒体は本発明を構成することになる。
【００８７】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８８】
また、各装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９１】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【００９２】
なお、上述した各実施形態およびその変形例を組み合わせた構成も全て本発明に含まれるものである。
【００９３】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【００９４】
１００  放送局
１０１  放送装置
２００  オペレーションセンター
２０１  サービスレベル応答サーバ
２０２  端末管理ＤＢ
２０２  サービスレベル管理ＤＢ
３００  コンテンツサイト
３０１  通信コンテンツサーバ
４００  受信機（テレビジョン受信機）
４０１  セットトップボックス（受信機）
４０２  表示装置
【図１】
2012213062.tif 000003
【図２】
2012213062.tif 000004
【図３】
2012213062.tif 000005
【図４】
2012213062.tif 000006
【図５】
2012213062.tif 000007
【図６】
2012213062.tif 000008
【図７】
2012213062.tif 000009
【図８】
2012213062.tif 000010
【図９】
2012213062.tif 000011
【図１０】
2012213062.tif 000012
【図１１】
2012213062.tif 000013
【図１２】
2012213062.tif 000014